(57)【要約】      （修正有）【課題】息がしやすくて装着感が良く、かつ、衛生的で、携帯に便利で使い捨てができるマスクを提供する。【解決手段】鼻及び口を覆う右側被覆部２ａと左側被覆部２ｂとからなる不織布製の被覆部２であって、右側被覆部２ａと左側被覆部２ｂとが、それらの顔面中心部位で顔面鉛直方向に沿って接合され、その接合部分４が非顔面側に形成された被覆部２と、被覆部２の顔面両側部位に接合されてループを形成する伸縮自在の二つの紐状耳掛部３とを備えたマスクであって、右側被覆部２ａ及び左側被覆部２ｂが平面形状であり、かつ、接合部分４が非顔面側に凸の円弧状の膨出形状をなすことを特徴とするマスク。【選択図】図１
0003126065.tif 000002
【実用新案登録請求の範囲】
【請求項１】
鼻及び口を覆う右側被覆部と左側被覆部とからなる不織布製の被覆部であって、当該右側被覆部と当該左側被覆部とが、それらの顔面中心部位で顔面鉛直方向に沿って接合され、その接合部分が非顔面側に形成された被覆部と、
前記被覆部の顔面両側部位に接合されてループを形成する伸縮自在の二つの紐状耳掛部とを備えたマスクであって、
前記右側被覆部及び前記左側被覆部が平面形状であり、かつ、前記接合部分が非顔面側に凸の円弧状の膨出形状をなすことを特徴とするマスク。
【請求項２】
前記接合部分は、その接合上下端部分が直線又はそれに近い曲線であり、当該接合上下端部分によって挟まれる接合中央部分が円弧又はそれに近い曲線であり、当該直線又はそれに近い曲線と当該円弧又はそれに近い曲線との交点位置に非顔面側に凸の角部又は変曲点が形成されていることを特徴とする請求項１に記載のマスク。
【請求項３】
前記右側被覆部及び前記左側被覆部は、前記鼻及び口を覆う本体部と、当該本体部と前記紐状耳掛部とを連結する連結部とからなり、当該連結部は前記本体部よりも柔らかい材質であることを特徴とする請求項１又は２に記載のマスク。
【考案の詳細な説明】
【技術分野】
【０００１】
本考案は、マスクに関し、更に詳しくは、息がしやすくて装着感が良く、衛生的で使い捨て可能なマスクに関する。
【背景技術】
【０００２】
従来のマスクとして、数枚のガーゼを重ね合わせて鼻と口を覆う被覆部を形成し、ガーゼの両端部にゴムの耳掛け部を取り付けたものが知られている。このマスクは、耳掛け部を耳にかけ、被覆部で鼻と口を覆うことによって装着することができる。このマスクをかけると、ゴムが伸びてガーゼも若干ではあるが顔面に対して横方向に延びる。そのため、このマスクは、ガーゼが鼻や口に直接当たり、鼻や口を圧迫するため、息苦しかったり、唾液や化粧品等がマスクに付着し非衛生的であるという問題があった。また、洗濯をして再使用することが前提となるため、使い捨てができず手軽さに欠けるという問題があった。
そこで、近年、こうした問題点を解消すべく種々の立体形状のマスクが出回っている。
例えば、特許文献１〜４には、人の少なくとも口許に対する覆い部と、該覆い部の対向両外側から延びる耳掛け部とを有する一対のシート部材が不織布で形成されたマスクであって、その耳掛け部が不織布に形成された開口からなるマスクが開示されている。
【特許文献１】特許第３６６００３６号
【特許文献２】特許第３６６００３７号
【特許文献３】特許第３７６８７６６号
【特許文献４】実用新案登録第３１０８２１６号
【考案の開示】
【考案が解決しようとする課題】
【０００３】
しかしながら、特許文献１〜４に開示のマスクは、いずれも、耳掛け部が平面形状の不織布で形成された開口からなるものであるため、マスクを装着しているときに耳掛け部の形状が定まらず、耳掛け部の位置によって顔面や耳の後ろへの耳掛け部の当たり方が異なるという問題があった。これにより、耳掛け部の装着感が良くないという問題もあった。また、耳掛け部を形成する開口を誤って強く引っ張ると、深めにえぐられた部分が裂けやすいという問題があった。
【０００４】
本考案は、上記事情に鑑みてなされたものであり、その第一の目的は、息がしやすくて装着感が良く、かつ、衛生的なマスクを提供することにある。本考案の第二の目的は、携帯に便利で使い捨てができるマスクを提供することにある。
【課題を解決するための手段】
【０００５】
上記課題を解決するために、本考案に係るマスクは、
鼻及び口を覆う右側被覆部と左側被覆部とからなる不織布製の被覆部であって、当該右側被覆部と当該左側被覆部とが、それらの顔面中心部位で顔面鉛直方向に沿って接合され、その接合部分が非顔面側に形成された被覆部と、
前記被覆部の顔面両側部位に接合されてループを形成する伸縮自在の二つの紐状耳掛部とを備え、
前記右側被覆部及び前記左側被覆部が平面形状であり、かつ、前記接合部分が非顔面側に凸の円弧状の膨出形状をなすことを要旨とするものである。
【０００６】
また、前記接合部分は、その接合上下端部分が直線又はそれに近い曲線であり、当該接合上下端部分によって挟まれる接合中央部分が円弧又はそれに近い曲線であり、当該直線又はそれに近い曲線と当該円弧又はそれに近い曲線との交点位置に非顔面側に凸の角部又は変曲点が形成されていることが望ましい。
【０００７】
更に、前記右側被覆部及び前記左側被覆部は、前記鼻及び口を覆う本体部と、当該本体部と前記紐状耳掛部とを連結する連結部とからなり、当該連結部は前記本体部よりも柔らかい材質であることが望ましい。
【考案の効果】
【０００８】
本考案に係るマスクは、右側被覆部と左側被覆部とが顔面中心部位で顔面鉛直方向に沿って接合され、その接合部分が非顔面側に形成されて非顔面側に凸の円弧状の膨出形状をなすものであるため、マスクの使用時に右側被覆部と左側被覆部とを開くと、その接合部分付近の顔面側に空洞ができる。その空洞部分に人の鼻や口が位置するため、接合部分の周りの右側被覆部及び左側被覆部が鼻孔や口中央部に直接当たることはない。従って、本考案に係るマスクは、息がしやすく装着感が良い。また、本考案に係るマスクは、唾液や口紅が付着することもないため、衛生的である。
本考案に係るマスクは、不織布製であるため、軽くて携帯に便利で使い捨てができる。また、本考案に係るマスクは、右側被覆部と左側被覆部とが平面形状であるため互いに折り畳むことができる。また、このように折り畳めることから、本考案に係るマスクは、複数のマスクを重ね合わせて箱に入れることができ、携帯に便利である。
【考案を実施するための最良の形態】
【０００９】
以下に図面を参照して本考案の一実施形態について説明する。
図１は本考案の一実施形態に係るマスクの使用時における外観斜視図であり、図２は本考案の一実施形態に係るマスクの平面図であり、同図（ａ）は、非顔面側からみた表側の平面図、同図（ｂ）は、接合部分で切り離して顔面側からみた裏側の平面図である。
これらの図において、マスク１は、被覆部２と、紐状耳掛部３とからなる。
被覆部２は、鼻及び口を覆う右側被覆部２ａと左側被覆部２ｂとからなる。被覆部２は、不織布製であり、右側被覆部２ａと左側被覆部２ｂとが、それらの顔面中心部位で顔面鉛直方向に沿って熱融着によって接合され、その接合部分４が非顔面側に形成されている。
【００１０】
ここで、「顔面中心部位」とは、人がマスクを装着したとしたならば、その人の額中心と顎中心とを結んだ部位及びその付近にくるマスクの部分をいい、具体的には、右側被覆部２ａ及び左側被覆部２ｂの接合部分４である。「顔面鉛直方向」とは、額中心と顎中心とを結ぶ方向をいう。「接合部分」とは、右側被覆部２ａと左側被覆部２ｂとを熱融着させた部分をいう。「非顔面側」とは、人がマスクを装着したとしたならば、その人の顔に接触しない側、すなわち、表側をいう。
【００１１】
右側被覆部２ａ及び左側被覆部２ｂは、マスク１の不使用時においては平面形状であり、マスク１の使用時においては接合部分４を中心にして顔面左右方向に開く。
ここで、「顔面左右方向」とは、人の顔に対して左右方向、すなわち、水平方向、あるいは、横方向をいう。
また、マスク１の不使用時においては、右側被覆部２ａと左側被覆部２ｂとは、これらが平面形状であるため接合部分４を中心に折り畳むことができる。
【００１２】
また、接合部分４は、マスク１の不使用時においては非顔面側に凸の円弧状の膨出形状であり、マスク１の使用時においては顔面側に空洞を形成しつつ、非顔面側に凸の球面状の膨出形状となる。
ここで、「顔面側」とは、人がマスクを装着したとしたならば、その人の顔に接触する側、すなわち、裏側をいう。
更に、接合部分４は、その接合上下端部分４ａ，４ｂが直線又はそれに近い曲線であり、接合上下端部分４ａ，４ｂによって挟まれる接合中央部分４ｃが円弧又はそれに近い曲線であり、直線又はそれに近い曲線と円弧又はそれに近い曲線との交点位置に、非顔面側に凸の角部５又は変曲点５が形成されている。
【００１３】
紐状耳掛部３は、二本のウイリーゴムからなる紐状の耳掛け部である。紐状耳掛部３は、被覆部２の顔面両側部位に、右耳用及び左耳用それぞれ別個に接合されてループを形成する。
ここで、「顔面両側部位」とは、人がマスクを装着したとしたならば、その人の両頬の中央部位から後ろ部位にくるマスクの部分をいう。
【００１４】
被覆部２は、不織布製であり、右側被覆部２ａ及び左側被覆部２ｂは、それぞれ、鼻及び口を覆う本体部Ａと、本体部Ａと紐状耳掛部３とを連結する連結部Ｂとからなる。本体部Ａを構成する不織布は、連結部Ｂを構成する不織布よりも厚め乃至硬めである。本体部Ａは、マスク１を装着するために紐状耳掛部３を引っ張ったときに、接合部分４の非顔面側に呼吸を楽にし装着感を良くするための空洞を形成させる必要があるため、その程度の引っ張りで、接合部分４がつぶれて顔面に密着しないように、比較的厚く硬いことが必要だからである。一方、連結部Ｂは、紐状耳掛部３を耳にかけたときに、連結部Ｂが頬に異物感無く密着することが必要であるため、薄め乃至柔らかめである。
【００１５】
本体部Ａ及び連結部Ｂを構成する不織布は、その非顔面側に、一辺が０．５〜１．５ｍｍの四角形状の凹部６が千鳥状又は縦横に無数に整列している。凹部６の大きさ、形状及び整列の仕方は限定されない。従って、凹部６は、四角形状に限らず、多角形状、円形状、楕円形状、長尺状、波形、矩形等の形状としてもよい。
【００１６】
次に、図３を参照して、本考案の一実施形態に係るマスクの製造方法について説明する。
（１）不織布の準備
凹部６が形成された不織布を準備する。凹部６は、一辺が０．５〜１．５ｍｍの四角柱状の凸部が千鳥状又は縦横に無数に整列配置された型を不織布に当てて加熱、加圧することにより形成する。なお、凹部６は、一辺が０．５〜１．５ｍｍの四角形状の孔が千鳥状又は縦横に無数に整列した不織布と、そのような孔のない不織布とを貼り合わせることによって形成してもよい。
【００１７】
（２）不織布及びウイリーゴムの裁断
不織布を裁断することによって、右側被覆部２ａ及び左側被覆部２ｂそれぞれについての本体部Ａ及び連結部Ｂを用意する。なお、本体部Ａの不織布として、連結部Ｂの不織布より厚手の不織布を用いる。また、紐状耳掛部３としてウイリーゴムを所定の長さに裁断したものをマスク一つにつき２本用意する。
【００１８】
（３）本体部Ａと連結部Ｂとの熱融着
本体部Ａの耳寄部位Ａ１と連結部Ｂの鼻寄部位Ｂ１とを重ね合わせて高い温度と圧力をかけて、本体部Ａと連結部Ｂとを熱融着させる。重ね合わせの位置関係については、耳寄部位Ａ１を非顔面側にし、鼻寄部位Ｂ１を顔面側にする。
【００１９】
（４）紐状耳掛部３と連結部Ｂとの熱融着
連結部Ｂの耳寄部位Ｂ１に紐状耳掛部３の両端部をあてがって、高い温度と圧力をかけて、連結部Ｂと紐状耳掛部３とを熱融着させる。
【００２０】
（５）接合部分４での熱融着
右側被覆部２ａの顔面中心部位の顔面側端縁と左側被覆部２ｂの顔面中心部位の顔面側端縁とを重ね合わせて、非顔面側から、後述する「接合部分４と同じ形状の凸部」が形成された型を、当該顔面中心部位に高い温度と圧力をかけて当てる。これにより、右側被覆部２ａの顔面中心部位の顔面側端縁と左側被覆部２ｂの顔面中心部位の顔面側端縁とを熱融着させる。ここで、「接合部分４と同じ形状の凸部」とは、熱融着用の型に形成された凸部をいい、図示を省略するが、ここでは、その凸部の両端部分が直線又はそれに近い曲線であり、それらの両端部分によって挟まれる中央部分が円弧又はそれに近い曲線であり、当該直線又はそれに近い曲線と当該円弧又はそれに近い曲線との交点位置に凸の角部（又は変曲点）が形成されたものをいう。
以上の工程を経てマスク１が完成する。なお、マスク１の製造方法は、特に限定されない。例えば、熱融着を行う順序はこのとおりでなくてもよい。
【００２１】
次に、本考案の一実施形態に係るマスクの作用について説明する。
まず、マスク１の不使用時における作用について説明する。
マスク１は、不織布製であるため、軽くて携帯しやすく、使い捨てができる。被覆部２は、マスク１の不使用時において、右側被覆部２ａと左側被覆部２ｂとが平面形状であるため、これらを折り畳むことができる。従って、複数のマスクを重ね合わせて箱に入れることができ、携帯しやすい。また、本体部Ａと連結部Ｂの境目のところで折り畳んだ状態で複数のマスクを重ね合わせて箱に入れることもできる。
【００２２】
次に、マスク１の使用時における作用について説明する。
マスク１は、右側被覆部２ａと左側被覆部２ｂとが顔面中心部位で顔面鉛直方向に沿って接合され、その接合部分が非顔面側に形成されて非顔面側に凸の円弧状の膨出形状をなすものである。
従って、接合部分４の端縁が顔面に当たることはない。
また、マスク１の使用時に、人が紐状耳掛部３を耳にかけ、右側被覆部２ａと左側被覆部２ｂとを開いて被覆部２を鼻及び口に当てると、紐状耳掛部３が前後方向に延びるとともに、右側被覆部２ａと左側被覆部２ｂとが接合部分４を中心にして、ほぼ左右対称に開き、その接合部分４付近の顔面側に空洞ができる。その空洞部分に人の鼻や口が位置するため、接合部分４の周りの右側被覆部２ａ及び左側被覆部２ｂが鼻孔や口中央部に直接当たることはない。従って、マスク１を使えば、息がしやすく装着感が良い。また、マスク１は、顔面側の接合部分４に唾液や口紅が付着することもないため、衛生的である。
【００２３】
なお、紐状耳掛部３を顔面左右方向に開いたとき、接合上下端部分４ａ，４ｂの方が接合中央部分４ｃに比べると引っ張り力が比較的強くかかる。そのため、接合中央部分４ｃの膨らみ（すなわち、鼻及び口の一部を収容する空洞部分）が得られる。接合中央部分４ｃにはあまり引っ張り力がかからないのは、接合上下端部分４ａ，４ｂが直線又はそれに近い曲線であり、接合上下端部分４ａ，４ｂによって挟まれる接合中央部分４ｃが円弧又はそれに近い曲線であり、接合上下端部分４ａ，４ｂと接合中央部分４ｃとの間に凸の角部５（又は変曲点）が形成されているからである。
【００２４】
以上本発明の一実施形態について説明したが、本考案は上記実施の形態に限定されるものではない。
【産業上の利用可能性】
【００２５】
本考案に係るマスクは、各種のマスク製造メーカーで利用することができる。また、本考案に係るマスクは、風邪予防のほか、研究所、食品工場、病院など様々な業種で利用することができる。
【図面の簡単な説明】
【００２６】
【図１】本考案の一実施形態に係るマスクの使用時の状態における斜視図である。
【図２】本考案の一実施形態に係るマスクの不使用時の状態における平面図であり、同図（ａ）は、非顔面側からみた表側の平面図、同図（ｂ）は、接合部分で切り離して顔面側からみた裏側の平面図である。
【図３】本考案の一実施形態に係るマスクの製造工程を示す図である。
【符号の説明】
【００２７】
１  マスク
２  被覆部
２ａ  右側被覆部  ２ｂ  左側被覆部
３  紐状耳掛け部
４  接合部分
４ａ，４ｂ  接合上下端部分
４ｃ  接合中央部分
５  角部（又は変曲点）
６  凹部
Ａ  本体部
Ａ１  耳寄部位
Ｂ  連結部
Ｂ１  鼻寄部位
Ｂ２  耳寄部位
【図１】
0003126065.tif 000003
【図２】
0003126065.tif 000004
【図３】
0003126065.tif 000005